(57)【要約】  回転要素を外輪に対して内輪が回転運動できるようにこれらの間に適応させた状態で、外輪と同心に配置される内輪を備える軸受が開示される。フリンガは、弾性材料で形成される延長部材を有する内輪に固定され得る。延長部材は、軸受の軸方向側に沿ってフリンガから半径方向外側に延在することができ、軸受の使用中に外輪の側面の一部に係合する。
2012500944.tif 000002
【特許請求の範囲】
【請求項１】
回転要素を外輪に対して内輪が回転運動できるようにこれらの間に適応させた状態で、外輪と同心に配置される内輪と、
内輪および外輪のうちの一方に固定されるフリンガであり、延長部材を有し、延長部材が、軸受の軸方向側に沿ってフリンガから半径方向外側に延在し、かつ軸受の内外輪の間にシールを形成するように内輪および外輪のうちの他方の側面の一部に係合するフリンガとを備える、軸受。
【請求項２】
延長部材が、外輪の側面と僅かな締まり嵌めを有する、請求項１に記載の軸受。
【請求項３】
延長部材が、その外側面に、内輪が回転するときのファン作用のために構成される半径方向突出部を有する、請求項１に記載の軸受。
【請求項４】
延長部材がゴム材料である、請求項１に記載の軸受。
【請求項５】
延長部材が、その内側面に、潤滑剤を保持するために構成されるポケットを有する、請求項１に記載の軸受。
【請求項６】
延長部材が、内輪および外輪の他方の側面の一部に係合するように撓む、請求項１に記載の軸受。
【請求項７】
延長部材が、軸受が静止しているときに軸受の内外輪の間にシールを形成する、請求項１に記載の軸受。
【請求項８】
延長部材が、その内側面および外側面に補強支柱を有する、請求項１に記載の軸受。
【請求項９】
フリンガが、その上に延長部材が取り付けられるハブを有する、請求項１に記載の軸受。
【請求項１０】
回転要素を外輪に対して内輪が回転運動できるようにこれらの間に適応させた状態で、外輪と同心に配置される内輪と、
弾性材料で形成される延長部材を有する内輪に固定されるフリンガであり、延長部材が、軸受の軸方向側に沿ってフリンガから半径方向外側に延在し、かつ軸受の内外輪の間にシールを形成するように外輪の側面の一部に対して撓むフリンガとを備える、軸受。
【請求項１１】
延長部材が、外輪の側面と僅かな締まり嵌めを有する、請求項１０に記載の軸受。
【請求項１２】
延長部材がゴム材料で形成される、請求項１０に記載の軸受。
【請求項１３】
延長部材が、その内側面および外側面に補強支柱を有する、請求項１０に記載の軸受。
【請求項１４】
補強支柱が、潤滑剤を保持するために延長部材の内側面にポケットを形成する、請求項１３に記載の軸受。
【請求項１５】
補強支柱が、延長部材の外側面に、軸受から離れたファン作用のために半径方向突出部を形成する、請求項１３に記載の軸受。
【請求項１６】
補強支柱が、軸受の使用中に外輪の側面に対して延長部材を撓ませるように構成される、請求項１３に記載の軸受。
【請求項１７】
フリンガが、その上に延長部材が取り付けられるハブを有する、請求項１０に記載の軸受。
【請求項１８】
延長部材が、外輪の側面とシールを形成する、請求項１０に記載の軸受。
【請求項１９】
延長部材が、軸受が静止しているときにシールを形成する、請求項１０に記載の軸受。
【請求項２０】
延長部材が、軸受が使用されていないときに外輪の側面を覆う、請求項１０に記載の軸受。
【請求項２１】
延長部材が、軸受の使用中に外輪の側面の一部に対して撓む、請求項１０に記載の軸受。
【請求項２２】
延長部材が、その近位端に、フリンガの遠位端を受け入れる窪みを有する、請求項１０に記載の軸受。
【請求項２３】
延長部材が、その近位端に、フリンガの遠位端を受け入れる窪みを有する、請求項１に記載の軸受。
【発明の詳細な説明】
【技術分野】
【０００１】
本出願は、現在係属中の、２００８年８月２２日に出願された出願第１２／１９６，６３３号の一部継続出願である。
【０００２】
本出願は、軸受のフリンガの延長部材に関する。
【図面の簡単な説明】
【０００３】
【図１】軸受および軸受ハウジングの分解斜視図である。
【図２】フリンガおよび延長部材を図１の軸受の内輪に取り付けた図１の軸受の断面図である。
【図３】フリンガおよび延長部材の断面図である。
【発明を実施するための形態】
【０００４】
図１を参照すると、軸受２２および軸受用のハウジング２４を備える軸受アセンブリ２０が示されている。軸受アセンブリ２０は、図１に示されるようにピローブロック軸受、またはフランジ付きもしくはテークアップスロット軸受アセンブリ構成を備えることができる。ハウジング２４は、堅牢でありまたは分割されることができ、軸受アセンブリは、シールされることができ、または再潤滑機能が提供され得る。軸受アセンブリ２０は、軸受をハウジングに工場で装着したユニットとして提供され得る。軸受は、必要に応じてハウジングと共にエンドユーザによって組み立てられるように別個に供給され得る。軸受アセンブリに関連して使用される材料は、用途に応じて広範に変化し、ポリマー、鋼、鉄、および／または他の鋳造材料を含むことができる。軸受ハウジングは、軸受を収容するようなサイズにされる内部ボアを有する。
【０００５】
軸受ハウジングは、軸受に嵌合するようなサイズにされるボア２６を有する。軸受ハウジングのボア２６は、軸受が自動調心および／またはセルフセンタリングできるようにする球形の形状を有することができる。すなわち、外輪は、軸受ハウジングのボアに嵌合するように形成される輪郭を有する外径面を有することができる。しかしながら、軸受ハウジングのボアおよび軸受は、円筒形などの他の構成を有することができる。軸受および軸受ハウジングは、使用中にハウジング内で軸受が回転するのを防止するように、キー止めされ、かつ／または回転防止作用部２８、３０を有することができる。
【０００６】
軸受２２のさらなる詳細図が、図２に示されている。軸受は、外輪に対して内輪が回転運動できる回転要素４４をこれらの間に備える外輪４２と同心に配置される内輪４０を有する。図２に示されように、回転要素４４は、ケージ４６を有する軸受の周りに間隔を空けて円周方向の配向に拘束される玉軸受を備える。また、シリンダ、テーパピンやローラなどの他の回転要素も使用され得る。ケージは、用途に応じて鋼、ナイロン、またはポリマー材料を含むことができる。
【０００７】
内輪は、特定の用途で示すことができるように、回転軸や他の回転要素を収容するようなサイズにされるボア４８を有する。外輪は、先に説明したように、軸受ハウジングのボア２６内に嵌合するように形成される輪郭を有する外径面５０を有する。図面に示される構成では、内輪は、外輪が静止状態に保持されながら回転する。しかしながら、内輪を固定し、外輪を回転させることを含む軸受の他の構成が使用され得ることを理解すべきである。
【０００８】
軸受は、汚染物質が回転要素の動作を妨げることを防止するように軸受の軸方向の両側に内部シール６０を有する。図面に示されるように、内部シール６０は、外輪４２の内径面６６に形成される溝６４から延在する支持部材６２を備える。支持部材６２の遠位端部分において、ワイパー６８が、内輪４０の外径面７０に係合するように嵌合される。図示されたワイパーは、内輪の外径面７０にシール接触を行う２つの縁部７２、７４を有する。ワイパーおよびワイパー縁部の他の構成が、用途に応じて使用され得る。内部シール６０は、内輪４０と外輪４２との間に潤滑剤を保持し、これらの間の異物の侵入を防止するのを助ける。グリースと共に内部シール６０は、汚染物質が内輪と外輪との間で回転要素の動作を妨げることを除外するラビリンスシールおよびフィルタとして働く。また、内部シールの配向は、支持部材が外輪の外径に取り付けられることができ、ワイパーが外輪の内径に接触することができるように逆にされ得る。
【０００９】
フリンガ８０が、内部シール６０に隣接する軸受の外側に設けられる。フリンガ８０は、内部シールを保護するシールドとして働く。図２に示されるように、フリンガ８０は、内輪４０に固定され、内輪と共に回転して砕片および汚染物質を跳ね返すのを助ける。また、フリンガは、外輪に固定されることもできる。図示のように、軸受には、軸受の軸方向の両側にフリンガが設けられる。しかしながら用途に応じて、フリンガは、軸受の軸方向の一方の側に使用され得る。また、フリンガは、内部シールの支持体内で保護しかつこれと共にラビリンスシールを形成するように、内部シールの支持部材にぴったりと合致する形状を有することができる。
【００１０】
延長部材９０が、フリンガ８０に設けられ得る。延長部材９０は、フリンガから軸受の軸方向側に沿って半径方向に延在する。図示のように、延長部材９０は、フリンガから外輪に向かう方向に半径方向外側に延在する。しかしながら、延長部材は、フリンガから内輪に向かって半径方向内側に延在することができる。フリンガ８０はハブ９２と共に形成され、延長部材９０はハブに取り付けられることが好ましい。軸受の使用中に、延長部材は、外輪４２の側面９４の一部に係合する場合があり、軸受の使用中に外輪の側面とシールを形成することが好ましい。外輪の側面９４は、軸受の使用中に延長部材と外輪の側面との間の摩擦接触を低減するように研削面であることが好ましい。延長部材９０は、外輪の側面と僅かな締まり嵌めを有することができる。また、延長部材９０は、外輪の側面に係合するように軸受の使用中に撓むこともできる。その点については、延長部材は、外輪の側面に係合するように軸受の使用中に撓むことができるように、ゴムなどの弾性材料で作られることが好ましい。また、延長部材は、軸受が使用されていないときに延長部材が外輪の側面を覆うことになるような十分な距離だけフリンガから半径方向外側に延在することもできる。いくつかの用途では、延長部材は、軸受が静止しているときに外輪の側面に接触することができ、軸受が回転すると、フリンガは、中立位置まで、または必要に応じて外輪の側面から離れて撓んで摩擦を低減することができる。上で説明したように、これらの構成の配向は、フリンガが外輪に取り付けられる場合には逆にされ得る。
【００１１】
延長部材９０の断面の幾何図形的外形は、軸受が使用されているときに延長部材のシール特性および撓み特性を高めるように構成され得る。たとえば、延長部材には、延長部材を形成するのに使用される材料に応じてその内側面および／または外側面に補強支柱９６が形成され得る。延長部材がゴムや他の弾性材料で形成される場合、補強支柱９６は、延長部材が外輪の側面に係合するように軸受の使用中に撓むことができる幾何図形的外形を有することができる。たとえば、補強支柱は、砕片および他の汚染物質を軸受から偏向させるファン作用を発生させるように、延長部材の外側面に半径方向突出部を形成することができる。ファン作用および回転は、シールを形成するように延長部材を撓ませせるのに十分な力を発生することができる。ファン作用および回転はまた、中立位置、または外輪の側面から離れた位置まで延長部材を撓ませて摩擦を低減するのに十分な力を発生することができることを理解すべきである。軸受が使用された用途に応じて、補強支柱は、軸受に向かう予想される材料の加圧流に応じて撓むように設計され得る。また、補強支柱は、軸受用のグリースおよび他の潤滑剤を保持するために延長部材の内側面にポケット９８を形成するように構成され得る。同時に、それらの間に配置される潤滑剤およびグリースを有するフリンガ８０、延長部材９０、および内部シール６０は、さもなければ軸受の回転要素の動作を妨げることもある異物の侵入を防止するラビリンスシールとして働く。
【００１２】
図３は、フリンガ８０および延長部材９０の断面図を示している。先に説明したように、フリンガ８０は、軸受内輪４０の外径面７０に固定され得る環状の軸方向取付部材１００を有し、延長部材９０は、フリンガの遠位の半径方向縁部１０２から半径方向に延在する。延長部材は、軸受の用途に応じて所望され得るように、軸受用のグリースおよび他の潤滑剤を保持するために延長部材の内側１０４に隣接する補強支柱９６の間のポケット９８と、砕片をフリンガから偏向させかつ延長部材を所望の方向に撓ませるように延長部材の外側１０８の半径方向ファンブレード１０６とを形成する、幾何図形的外形を有することができる。フリンガの遠位端１０２をその中に挿入できるようにその近位端に窪み１１０を有する延長部材９０を形成することができ、それによって、延長部材をフリンガに堅く固定する。膠や他の適切な接着剤が、延長部材をフリンガの遠位端に固定するように窪み内に付着され得る。
【００１３】
特定の実施形態が、上述の詳細な説明で詳細に説明され、添付の図面で示されたが、当業者は、開示の教示全体に照らして、これらの詳細ついてのさまざまな改変および代案を展開し得ることを理解するであろう。したがって、開示された特定の構成は、例示に過ぎないことが意図され、本発明の範囲に関して限定するものではなく、本発明の範囲は、別途請求中の特許請求の範囲の全範囲ならびにその任意のおよびすべての均等物に与えられることになる。
【図１】
2012500944.tif 000003
【図２】
2012500944.tif 000004
【図３】
2012500944.tif 000005
【国際調査報告】
2012500944.tif 000006